(57)【要約】【課題】本発明は、放射線防止効果に優れた放射線防護服を提供することを目的とする。【解決手段】本発明の放射線防護服の生地は、反射式放射線防止層及び吸収式放射線防止層を備え、前記吸収式放射線防止層は、前記反射式放射線防止層よりも放射線防護服の内側に位置し、且つ電磁波吸収材料を含む。【選択図】図４
2013257325.tif 000002
【特許請求の範囲】
【請求項１】
生地を備えた放射線防護服であって、
前記生地は、反射式放射線防止層及び吸収式放射線防止層を備え、
前記吸収式放射線防止層は、前記反射式放射線防止層よりも放射線防護服の内側に位置し、且つ電磁波吸収材料を含む
ことを特徴とする放射線防護服。
【請求項２】
前記電磁波吸収材料は、炭化珪素繊維或いは多イオン織物繊維であることを特徴とする請求項１に記載の放射線防護服。
【請求項３】
前記反射式放射線防止層は、金属繊維、金属化繊維、及びナノ金属繊維の中の少なくとも一種を含むことを特徴とする請求項１または請求項２に記載の放射線防護服。
【請求項４】
前記反射式放射線防止層は、ステンレス繊維、金属化銀繊維或いはナノ銀繊維を含むことを特徴とする請求項３に記載の放射線防護服。
【請求項５】
前記生地は、前記反射式放射線防止層より放射線防護服の外側に位置する外層布地、及び前記吸収式放射線防止層より放射線防護服の内側に位置する内層布地をさらに備えたことを特徴とする請求項１から４の何れか一項に記載の放射線防護服。
【請求項６】
前記反射式放射線防止層は、電磁波遮蔽性能を有する繊維によって編まれた単層或いは多層の布地であり、又は電磁波遮蔽性能を有する繊維の中に一般の衣類繊維を混合して混紡した単層或いは多層の布地であり、
前記吸収式放射線防止層は、電磁波吸収性能を有する繊維によって編まれた単層或いは多層の布地であり、又は電磁波吸収性能を有する繊維の中に一般の衣類繊維を混合して混紡した単層或いは多層の布地である
ことを特徴とする請求項１から５の何れか一項に記載の放射線防護服。
【請求項７】
前記一般の衣類繊維は、竹繊維、竹炭繊維、綿繊維、ポリエステル繊維及び変性ポリプロピレン繊維の中の少なくとも一種を含むことを特徴とする請求項６に記載の放射線防護服。
【発明の詳細な説明】
【技術分野】
【０００１】
本発明は、放射線防護服に関するものである。
【背景技術】
【０００２】
現代人の日常生活に用いられているコンピュータ、携帯電話機、電子レンジ等の電子装置は、大量の電磁放射線を生成する。これらの電磁放射線は、人体に対して有害無益であるので、人々はできるだけ前記電子装置からやや離れた場所に位置するなどして、電磁放射線を受けない方が良い。特に、妊婦及び乳幼児は、これらの電磁放射線を受けることを避けるべきである。
【０００３】
現在、市販されている放射線防護服は、主に金属繊維の遮蔽層を介して外部の電磁放射線を反射させ、前記電磁放射線が人体に入ることを防止している。しかし、従来の放射線防護服は、全ての電磁放射線を阻止することができない。例えば、電磁放射線が襟、袖或いは服の裾等の隙間を介して放射線防護服の内部に進入した場合、上記の反射式の遮蔽層は、前記電磁放射線を何度も反射させて交差重畳させるため、放射線防護服内の放射線の強度をさらに強くする恐れがある。従って、放射線防護服を着ると、人体が受ける放射線の危害がさらに大きくなる場合がある。故に、従来の放射線防護服の欠点を改善して、放射線防止効果を高めることが、現在の重要な課題である。
【発明の概要】
【発明が解決しようとする課題】
【０００４】
そこで、本発明は以上の問題点に鑑みてなされたものであり、放射線防止効果に優れた放射線防護服を提供することを目的とする。
【課題を解決するための手段】
【０００５】
上記の課題を解決するために、本発明に係る放射線防護服の生地は、反射式放射線防止層及び吸収式放射線防止層を備え、前記吸収式放射線防止層は、前記反射式放射線防止層よりも放射線防護服の内側に位置し、且つ電磁波吸収材料を含む。
【発明の効果】
【０００６】
従来の技術とは異なり、本発明の放射線防護服の生地は、反射式放射線防止層及び該反射式放射線防止層の内側に位置する吸収式放射線防止層を備えている。反射式放射線防止層は、受信した外部からの電磁放射線をほぼ反射させる。さらに、吸収式放射線防止層は、反射式放射線防止層或いは放射線防護服の襟、袖或いは服の裾等の隙間から進入して、放射線防護服の内側に入った電磁放射線を吸収し、且つそれを熱エネルギー或いは他の形式のエネルギーに転化して消耗させる。従って、本発明の放射線防護服は、放射線防護に優れている。
【図面の簡単な説明】
【０００７】
【図１】本発明の放射線防護服を示す図である。
【図２】図１に示した放射線防護服の第一実施形態に係る生地の構造を示した断面図である。
【図３】図１に示した放射線防護服の第二実施形態に係る生地の構造を示した断面図である。
【図４】図１に示した放射線防護服の第三実施形態に係る生地の構造を示した断面図である。
【発明を実施するための形態】
【０００８】
図１及び図２に示すように、本発明の放射線防護服１０の第一実施形態における生地１１は、外層布地１１１と、反射式放射線防止層１１３と、吸収式放射線防止層１１５と、内層布地１１７と、を備える。反射式放射線防止層１１３及び吸収式放射線防止層１１５は共に、外層布地１１１と内層布地１１７との間に挟んで設置される。また、吸収式放射線防止層１１５は、反射式放射線防止層１１３よりも放射線防護服１０の内側に位置する。
【０００９】
反射式放射線防止層１１３は、電磁波遮蔽材料を含み、且つこの電磁波遮蔽材料によって受信した大部分の電磁放射線を外部へ反射させる。具体的には、反射式放射線防止層１１３は、電磁波遮蔽性能を有する繊維によって編まれた単層或いは多層の布地である、又は電磁波遮蔽性能を有する繊維の中に一般の衣類繊維を混合して混紡された単層或いは多層の布地である。
【００１０】
前記電磁波遮蔽材料は、金属繊維（例えば、ステンレス繊維）、金属化繊維（例えば、金属化銀繊維）及びナノ金属繊維（例えば、ナノ銀繊維）の中の少なくとも一種を含む。好ましくは、反射式放射線防止層１１３は、金属化銀繊維或いはナノ銀繊維を含有する。
【００１１】
吸収式放射線防止層１１５は、電磁波吸収材料を含み、且つこの電磁波吸収材料によって受信した大部分の電磁放射線を吸収し、且つ該受信した大部分の電磁放射線を熱エネルギー或いは他の形式のエネルギーに転化して消耗させる。具体的には、吸収式放射線防止層１１５は、電磁波吸収性能を有する繊維によって編まれた単層或いは多層の布地である、又は電磁波吸収性能を有する繊維の中に一般の衣類繊維を混合して混紡された単層或いは多層の布地である。
【００１２】
１つの実施形態において、前記電磁波吸収材料は、炭化珪素繊維或いはナノ炭化珪素繊維である。また、他の実施形態において、前記電磁波吸収材料は、多イオン織物繊維であることができる。この多イオン織物繊維は、一般の衣類繊維が多イオン化によって形成されたものである。好ましくは、前記多イオン織物繊維は、ヒドラジノ繊維（ポリアクリルニトル或いは他のポリアクリルニトルを混合した繊維を含む）が多イオン化によって形成された多イオンヒドラジノ繊維である。
【００１３】
外層布地１１１及び内層布地１１７は共に、一般の衣類繊維によって編まれた単層或いは多層の布地である。通常、上述した一般の衣類繊維は、竹繊維、竹炭繊維、綿繊維、ポリエステル繊維及び変性ポリプロピレン繊維の中の少なくとも一種を含む。
【００１４】
従来の技術と比較して、本発明の放射線防護服１０の生地１１は、前記反射式放射線防止層１１３及び該反射式放射線防止層１１３よりも内側に位置する吸収式放射線防止層１１５を備えている。反射式放射線防止層１１３は、受信した外部からの電磁放射線をほぼ反射させる。また、吸収式放射線防止層１１５は、反射式放射線防止層１１３或いは放射線防護服１０の襟、袖或いは服の裾等の隙間から進入して、放射線防護服１０の内側に入る電磁放射線を吸収し、且つそれを熱エネルギー或いは他の形式のエネルギーに転化して消耗させる。従って、本発明の放射線防護服１０は、放射線防護に優れている。
【００１５】
図３に示すように、本発明の放射線防護服１０の第二実施形態における生地２１は、外側から内側へ順次に配置される外層布地２１１、反射式放射線防止層２１３及び吸収式放射線防止層２１５を備える。図３からわかるように、第二実施形態に係る生地２１は、内層布地１１７を備えておらず、吸収式放射線防止層２１５を直接に放射線防護服１０の最内層布地として使用する点で、第一実施形態に係る生地１１と異なっている。また、外層布地２１１、反射式放射線防止層２１３及び吸収式放射線防止層２１５の構成成分及び機能は、前記第一実施形態に記載した外層布地１１１、反射式放射線防止層１１３及び吸収式放射線防止層１１５と同じであるので、ここでの詳しい説明は省略する。さらに、各層に含まれる一般の衣類繊維及び吸収式放射線防止層２１５に含まれる電磁波吸収材料に関しては、第一実施形態において既に説明しているので、ここでの詳しい説明は省略する。
【００１６】
図４に示すように、本発明の放射線防護服１０の第三実施形態における生地３１は、外側から内側へ順次に配置される反射式放射線防止層３１３及び吸収式放射線防止層３１５を備える。図４からわかるように、第三実施形態に係る生地３１は、外層布地１１１及び内層布地１１７を省略して、反射式放射線防止層３１３を直接に放射線防護服１０の最外層布地として使用し、且つ吸収式放射線防止層３１５を直接に放射線防護服１０の最内層布地として使用する点で、第一実施形態に係る生地１１と異なっている。また、反射式放射線防止層３１３及び吸収式放射線防止層３１５の構成成分及び機能は、前記第一実施形態に記載した反射式放射線防止層１１３及び吸収式放射線防止層１１５と同じであるので、ここでの詳しい説明は省略する。さらに、各層に含まれる一般の衣類繊維及び吸収式放射線防止層２１５に含まれる電磁波吸収材料に関しては、第一実施形態において既に説明しているので、ここでの詳しい説明は省略する。
【００１７】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００１８】
１０      放射線防護服
１１、２１、３１      生地
１１１、２１１      外層布地
１１３、２１３、３１３      反射式放射線防止層
１１５、２１５、３１５      吸収式放射線防止層
１１７      内層布地
【図１】
2013257325.tif 000003
【図２】
2013257325.tif 000004
【図３】
2013257325.tif 000005
【図４】
2013257325.tif 000006